(57)【特許請求の範囲】
【請求項１】
情報の書き込みが可能な情報記録媒体と、該情報記録媒体が貼付された液体容器と、を備え、
該情報記録媒体に書き込まれた情報を、
装置が認識できない情報に書き換える書き換え手段を備え、
前記書き換え手段で装置が認識できない情報に書き換える情報は、液体を特定するための液体ＩＤ情報であり、
前記液体ＩＤ情報は試薬ＩＤ情報であり、かつ試薬ＩＤ情報が情報記憶媒体上にビット配列で構築される場合において、液体ＩＤ情報の範囲外の値で、液体ＩＤ情報の全部または一部を上書きすることで液体ＩＤ情報を消去し、
試薬ＩＤ情報と、不要と判断した情報や判断した装置の装置ＩＤ情報や試薬製造元の試薬メーカＩＤ情報などの付加情報でビット演算した結果が、試薬ＩＤ情報を構成する文字の種類以外となるビット演算方式であり、そのビット演算結果で試薬ＩＤ情報を上書きすることで読取不可とすることを特徴とする自動分析装置。
【請求項２】
情報の書き込みが可能な情報記録媒体と、該情報記録媒体が貼付された液体容器と、を備え、
該情報記録媒体に書き込まれた情報を、
装置が認識できない情報に書き換える書き換え手段を備え、
前記書き換え手段で装置が認識できない情報に書き換える情報は、液体を特定するための液体ＩＤ情報であり、
前記液体ＩＤ情報は試薬ＩＤ情報であり、かつ試薬ＩＤ情報が情報記憶媒体上にビット配列で構築される場合において、液体ＩＤ情報の範囲外の値で、液体ＩＤ情報の全部または一部を上書きすることで液体ＩＤ情報を消去し、
試薬ＩＤ情報と、不要と判断した情報や判断した装置の装置ＩＤ情報や試薬製造元の試薬メーカＩＤ情報などの付加情報でビット演算した結果が、試薬ＩＤ情報を構成する数値の範囲外となるビット演算方式であり、そのビット演算結果で試薬ＩＤ情報を上書きすることで読取不可とすることを特徴とする自動分析装置。
【請求項３】
情報の書き込みが可能な情報記録媒体と、該情報記録媒体が貼付された液体容器と、を備え、
該情報記録媒体に書き込まれた情報を、
装置が認識できない情報に書き換える書き換え手段を備え、
前記書き換え手段で装置が認識できない情報に書き換える情報は、液体を特定するための液体ＩＤ情報であり、
前記液体ＩＤ情報は試薬ＩＤ情報であり、かつ試薬ＩＤ情報が情報記憶媒体上にビット配列で構築される場合において、液体ＩＤ情報の範囲外の値で、液体ＩＤ情報の全部または一部を上書きすることで液体ＩＤ情報を消去し、
試薬ＩＤ情報と、不要と判断した情報や判断した装置の装置ＩＤ情報や試薬製造元の試薬メーカＩＤ情報などの付加情報でビット演算した結果が、試薬ＩＤ情報および試薬属性情報を構成する情報の範囲外となるビット演算方式であり、そのビット演算結果で試薬ＩＤ情報を上書きすることで読取不可とすることを特徴とする自動分析装置。
【発明の詳細な説明】
【技術分野】
【０００１】
本発明は、試薬容器に取付けられた試薬情報記憶媒体との間で、情報交換を行うことができる自動分析装置に関するものである。
【背景技術】
【０００２】
従来の自動分析装置の試薬管理技術では、例えば特開平９−２６４２５号公報には、試薬を認識する際、自動分析装置に設置された試薬容器に取付けられた試薬情報記憶媒体から試薬情報を読取り、自動分析装置に記憶された試薬管理情報の中から、試薬ＩＤに合致する試薬を検索し、既に登録された試薬であるか、新規に登録される試薬であるかを判断することで試薬を同定する。その際、新規登録であれば、残量や有効期限を管理するための情報を作成した後に試薬管理を開始する。また、既に登録された試薬であれば、残量や有効期限など既知の試薬情報を用いて試薬管理を継続する技術が開示されている。【０００３】
あるいは、国際公開２００６／００９２５１号公報には、試薬情報記憶媒体の試薬情報に使用不可とする情報を記憶しておき、試薬管理情報の一つとして利用する技術が開示されている。【０００４】
これらを管理する試薬情報は、サーバシステムにより試薬ＩＤを用いて一元管理されているか、あるいは試薬情報記憶媒体に、試薬ＩＤと共に管理されているか、あるいはその両方を用いている。【０００５】
いずれにしても、従来技術において試薬管理を行うためには、試薬ＩＤにより試薬情報を同定し、各種の試薬情報を記憶媒体から読書きして管理することが一般的である。【０００６】
サーバシステムにより試薬ＩＤを一元管理する方法は、試薬情報記憶媒体に試薬ＩＤと共に試薬情報を管理する方法に比べ、通信コストがかかる。【０００７】
しかし、既に広範囲に配布された試薬情報記憶媒体を回収し、試薬情報を新たに設けて再配布することは困難である。また、試薬情報記憶媒体に予備エリアがあり、これを試薬情報エリアとして位置づけたとしても、該試薬情報記憶媒体に追加された試薬情報を解釈するためには、試薬情報記憶媒体を情報リーダで読取り・解釈するための自動分析装置ソフトウェアの改造と再配布が必要となる。もしこれらが為されない場合、試薬情報を書き込めない、あるいは、使用不可とした試薬であっても、別の自動分析装置では使用できてしまう問題がある。
【先行技術文献】
【特許文献】
【０００８】
【特許文献１】特開平９−２６４２５号公報
【特許文献２】国際公開２００６／００９２５１号公報
【発明の概要】
【発明が解決しようとする課題】
【０００９】
本発明では、既に広範囲に配布された試薬情報記憶媒体であっても、これを継続利用することができ、該試薬情報記憶媒体が添付された試薬が使用不可となった際には、他の自動分析装置でも同様に使用不可とでき、さらに該試薬情報記憶媒体に試薬が使用不可となった際の判断情報を記憶できるような試薬情報記憶媒体の記憶手段を提供することにある。
【課題を解決するための手段】
【００１０】
本発明は、試薬情報記憶媒体に記憶された試薬ＩＤを同定できなくすることで、該試薬情報記憶媒体の試薬ＩＤを情報リーダで読取った際に、該試薬ＩＤを認識不能とすることを最も主要な特徴とする。
【発明の効果】
【００１１】
試薬情報記憶媒体から試薬ＩＤを読取り、試薬情報を同定する自動分析装置において、使用不可となった試薬情報記憶媒体から試薬ＩＤを読取った際には、試薬情報の同定ができないことにより使用不可とすることができる。また、試薬ＩＤが記録された情報エリアを利用するため、既存の試薬情報記憶媒体を利用できる。【００１２】
さらに、試薬情報記憶媒体が再書込み可能である場合で、かつ、試薬ＩＤを構成する情報が範囲定義されている場合には、範囲外の情報を書き込むことで、同様に試薬情報の同定ができないことが期待できる。そこで、試薬ＩＤと付加情報とのビット演算を行い、結果が範囲外情報となるような論理式を用いることで、範囲外情報を試薬ＩＤが記憶された情報エリアに上書きすることで、試薬ＩＤと付加情報を記憶しながら、かつ、試薬情報を同定できないことにより使用不可とすることができる。
【図面の簡単な説明】
【００１３】
【図１】本発明の一実施例の自動分析装置の全体構成を示す概略図である。
【図２】図１で使用する試薬情報記憶媒体の例を示す外観図である。
【図３】図２の試薬情報記憶媒体の記憶情報の例を示す概略図である。
【図４】図２の試薬情報記憶媒体から試薬情報を読出し、試薬登録するまでのアルゴリズムの例を示す概略図である。
【図５】ＡＳＣＩＩコード表である。
【図６】英数字変換表の例である。
【図７】使用不可条件コード表の例である。
【図８】試薬ＩＤ情報と付加情報から合成情報を計算する計算式の例である。
【図９】合成情報から試薬ＩＤ情報と付加情報を計算する計算式の例である。
【図１０】試薬ＩＤ情報と付加情報から合成情報を計算する計算式の例である。
【図１１】合成情報から試薬ＩＤ情報と付加情報を計算する計算式の例である。
【発明を実施するための形態】
【００１４】
以下、本発明の好適な実施形態を図面に基づいて説明する。
【実施例１】
【００１５】
図１は、本発明装置の１実施例の構成図であって、検体試料の複数分析項目を測光方式によって分析する多項目化学分析装置の全体構成を示す概略図である。【００１６】
図１において、分析手法としては、検体を収容した多数の検体容器２１が検体移動機構２２に配列されている。検体分注器２４によって吸引された検体は、反応容器移動機構１９に配列された反応容器２０に吐出する。これに平行して、当該検体の分析目的とする試薬容器２６を試薬分注器２５の位置まで第１試薬移動機構３１または第２試薬移動機構３２を移動する。その後、試薬分注器２５によって試薬を吸引し、反応容器２０に吐出することで、化学反応を発生させる。この化学反応が発生した検体容器２１を、測光器１１により吸光度などを測定することで、検体の成分濃度を算出する。【００１７】
図１において、試薬情報リーダライタ２８が第１試薬移動機構３１および第２試薬移動機構３２の周辺部に設置されている。試薬を収容した多数の試薬容器２６が第１試薬移動機構３１と第２試薬移動機構３２に配列されている。試薬情報リーダライタ２８と第１試薬移動機構３１と第２試薬移動機構３２の動作は、インターフェイス７を介して各機構部の動作制御および測定データの演算をするマイクロコンピュータ１によって制御される。試薬容器２６には、図２のように、試薬情報記憶媒体３３が添付されている。試薬情報記憶媒体３３には、図３のように、試薬属性情報４２を含めた試薬ＩＤ情報４１を記憶している。【００１８】
次に、試薬情報記憶媒体３３への記憶方式を示す。【００１９】
試薬ＩＤ情報４１は、試薬コード，試薬ロットＩＤ，試薬シリアルＩＤにより構成され、試薬情報記憶媒体３３にＮ個の文字の文字列として、一般に良く知られているＡＳＣＩＩコードによるビット配列として記憶されているものとする。ＡＳＣＩＩコードは７ビット、すなわち２の７乗である１２８文字の情報について図５に示すＡＳＣＩＩコード表のように定義されている。９５文字が英字，数字，記号，空白の可視文字として定義され、残りの３３文字が制御コードとして定義されており、計１２８文字を表現できるものであり、コンピュータ上では、この７ビットの情報に上位１ビットに０値を加え、８ビットすなわち１バイトで１個の情報を表すコード体系である。例えば、ビット、すなわち２進数による表記01000001(２)は、１６進数の１バイト情報コードでは４１(１６)となり、これはアルファベットのＡを表す。文字列ＡＡを表す場合であれば、これを連続して配列し、0100000101000001(２)と記憶する方式である。【００２０】
試薬ＩＤが読取可能とは、試薬情報記憶媒体３３に、これらの１バイト情報コードがＡＳＣＩＩコード表に記載されている情報であることを意味する。【００２１】
まず、８ビット中の上位１ビットを付加情報の一部として定義する。試薬ＩＤはＮ個のＡＳＣＩＩ文字列なので、Ｎ個の１ビットすなわち２のＮ乗の情報を定義できる。この場合、例えば２という数値を付加情報とすると、２進数では１１(２)と表されるので、前述の文字列ＡＡに図８の数式１で合成すると、1100000111000001(２)となる。このような情報はＡＳＣＩＩコード表に定義されていないため、試薬ＩＤとしては読取不可となる。このようにして試薬ＩＤ情報を記憶することで、試薬ＩＤとして読取可能もしくは付加情報を設けて読取不可とすることができる。合成情報は、図９の数式２にて試薬ＩＤに、図９の数式３にて付加情報に戻すことができる。【００２２】
例えば、３桁の試薬コード，３桁の試薬ロットＩＤ，３桁の試薬シリアルＩＤで試薬ＩＤが構成されているものとする。また、試薬ＩＤの文字として、ＡＳＣＩＩコードの全ての文字で定義されているものとする。この場合、試薬ＩＤは９個のＡＳＣＩＩ文字列なので、９ビットの付加情報を定義できる。例えば付加情報として、１ビットを付加情報有無（１を有りとする）、４ビットを判断コード、４ビットを装置メーカＩＤとして扱うことができる。【００２３】
具体的には、
試薬コード（ｘ123）          Ａｚ１（ＡＳＣＩＩ）
試薬ロットＩＤ（ｘ456）      ０１２（ＡＳＣＩＩ）
試薬シリアルＩＤ（ｘ789）    ９９９（ＡＳＣＩＩ）
付加情報有無（ｂ1）         １(２)
判断コード（ｂ2345）         ３(１０)＝００１１(２)
装置メーカＩＤ（ｂ6789）     ４(１０)＝０１００(２)
とする。この場合、合成情報ｘiは、
ｘ1＝Ａ(ASCII)＋１×２7＝01000001(2)＋10000000(2)＝11000001(2)
ｘ2＝ｚ(ASCII)＋０×２7＝01111010(2)＋00000000(2)＝01111010(2)
ｘ3＝１(ASCII)＋０×２7＝00110001(2)＋00000000(2)＝00110001(2)
ｘ4＝０(ASCII)＋１×２7＝00110000(2)＋10000000(2)＝10110000(2)
ｘ5＝１(ASCII)＋１×２7＝00110001(2)＋10000000(2)＝10110001(2)
ｘ6＝２(ASCII)＋０×２7＝00110010(2)＋00000000(2)＝00110010(2)
ｘ7＝９(ASCII)＋１×２7＝00111001(2)＋10000000(2)＝10111001(2)
ｘ8＝９(ASCII)＋０×２7＝00111001(2)＋00000000(2)＝00111001(2)
ｘ9＝９(ASCII)＋０×２7＝00111001(2)＋00000000(2)＝00111001(2)
となる。合成情報の内、少なくともｘ1がＡＳＣＩＩコード範囲外となるので、この合成情報は試薬ＩＤとして読込不可となる。【００２４】
また、合成情報から試薬ＩＤ情報を取出す場合、
ａ1＝（11000001(2) << １）>> １＝10000010(2) >> １＝01000001(2)
ａ2＝（01111010(2) << １）>> １＝11110100(2) >> １＝01111010(2)
ａ3＝（00110001(2) << １）>> １＝01100010(2) >> １＝00110001(2)
ａ4＝（10110000(2) << １）>> １＝01100000(2) >> １＝00110000(2)
ａ5＝（10110001(2) << １）>> １＝01100010(2) >> １＝00110001(2)
ａ6＝（00110010(2) << １）>> １＝01100100(2) >> １＝00110010(2)
ａ7＝（10111001(2) << １）>> １＝01110010(2) >> １＝00111001(2)
ａ8＝（00111001(2) << １）>> １＝01110010(2) >> １＝00111001(2)
ａ9＝（00111001(2) << １）>> １＝01110010(2) >> １＝00111001(2)
となり、試薬ＩＤ情報を取出すことができる。同様に、合成情報から付加情報を取出す場合、
ｂ1＝11000001(2) >> ７＝１(２)
ｂ2＝01111010(2) >> ７＝０(２)
ｂ3＝00110001(2) >> ７＝０(２)
ｂ4＝10110000(2) >> ７＝１(２)
ｂ5＝10110001(2) >> ７＝１(２)
ｂ6＝00110010(2) >> ７＝０(２)
ｂ7＝10111001(2) >> ７＝１(２)
ｂ8＝00111001(2) >> ７＝０(２)
ｂ9＝00111001(2) >> ７＝０(２)
となり、付加情報を取出すことができる。【００２５】
あるいは、計算式を次のようにしても良い。試薬ＩＤが英数字で定義されており、その他の記号等が使用されていない場合は、図６のように英数字変換表を用いて変換することで、８ビット中の上位２ビットを用いることができる。試薬ＩＤはＮ個のＡＳＣＩＩ文字列なので、Ｎ個の２ビットすなわち４のＮ乗の情報を定義できる。例えば前述のＡＡという情報は、図６の英数字変換表に従えば、0000101000001010となる。９という数値を付加情報とすると、２進数では１００１(２)と表されるので、前述の文字列ＡＡに図１０の数式４を用いて合成すると、1000101001001010(２)となる。【００２６】
例えば、３桁の試薬コード，３桁の試薬ロットＩＤ，３桁の試薬シリアルＩＤで試薬ＩＤが構成されているものとする。また、試薬ＩＤの文字として、ＡＳＣＩＩコードの全ての文字で定義されているものとする。この場合、試薬ＩＤは９個のＡＳＣＩＩ文字列なので、９ビットの付加情報を定義できる。これを例えば付加情報として、１ビットを付加情報有無（１を有りとする）、４ビットを判断コード、４ビットを装置メーカＩＤ、９ビットを装置ＩＤとして扱うことができる。【００２７】
具体的には、
試薬コード（ｘ123）          Ａｚ１（ＡＳＣＩＩ）
試薬ロットＩＤ（ｘ456）      ０１２（ＡＳＣＩＩ）
試薬シリアルＩＤ（ｘ789）    ９９９（ＡＳＣＩＩ）
付加情報有無（ｂ1）         １(２)
判断コード（ｂ2345）         ３(１０)＝００１１(２)
装置メーカＩＤ（ｂ6789）     ４(１０)＝０１００(２)
装置ＩＤ（ｂ10~18）          ３４３(１０)＝101010111(２)
とする。この場合、合成情報ｘiは、図１０の数式４を用いて
ｘ1＝Ｔ(A)＋１×２7＋０×２6＝00001010(2)＋10000000(2)＝10001010(2)
ｘ2＝Ｔ(z)＋０×２7＋１×２6＝00111101(2)＋01000000(2)＝01111101(2)
ｘ3＝Ｔ(1)＋１×２7＋０×２6＝00000001(2)＋10000000(2)＝10000001(2)
ｘ4＝Ｔ(0)＋１×２7＋０×２6＝00000000(2)＋10000000(2)＝10000000(2)
ｘ5＝Ｔ(1)＋０×２7＋１×２6＝00000001(2)＋01000000(2)＝01000001(2)
ｘ6＝Ｔ(2)＋０×２7＋１×２6＝00000010(2)＋01000000(2)＝01000010(2)
ｘ7＝Ｔ(9)＋０×２7＋１×２6＝00001001(2)＋01000000(2)＝01001001(2)
ｘ8＝Ｔ(9)＋０×２7＋１×２6＝00001001(2)＋01000000(2)＝01001001(2)
ｘ9＝Ｔ(9)＋１×２7＋１×２6＝00001001(2)＋11000000(2)＝11001001(2)
となる。合成情報の内、少なくともｘ1がＡＳＣＩＩコード範囲外となるので、この合成情報は試薬ＩＤとして読込不可となる。【００２８】
また、合成情報から試薬ＩＤ情報を取出す場合、図１１の数式５を用いて
ａ1＝Ｔ-1((10001010(2) << 2）>> 2)＝Ｔ-1((00001010(2))＝Ａ(ASCII)
ａ2＝Ｔ-1((01111101(2) << 2）>> 2)＝Ｔ-1((00111101(2))＝ｚ(ASCII)
ａ3＝Ｔ-1((10000001(2) << 2）>> 2)＝Ｔ-1((00000001(2))＝１(ASCII)
ａ4＝Ｔ-1((10000000(2) << 2）>> 2)＝Ｔ-1((00000000(2))＝０(ASCII)
ａ5＝Ｔ-1((01000001(2) << 2）>> 2)＝Ｔ-1((00000001(2))＝１(ASCII)
ａ6＝Ｔ-1((01000010(2) << 2）>> 2)＝Ｔ-1((00000010(2))＝２(ASCII)
ａ7＝Ｔ-1((01001001(2) << 2）>> 2)＝Ｔ-1((00001001(2))＝９(ASCII)
ａ8＝Ｔ-1((01001001(2) << 2）>> 2)＝Ｔ-1((00001001(2))＝９(ASCII)
ａ9＝Ｔ-1((11001001(2) << 2）>> 2)＝Ｔ-1((00001001(2))＝９(ASCII)
となり、試薬ＩＤ情報を取出すことができる。同様に、合成情報から付加情報を取出す場合、図１１の数式６および数式７を用いて
ｂ1＝10001010(2) >> ７                   ＝１(２)
ｂ2＝（10001010(2) << １）>> ７）        ＝０(２)
ｂ3＝01111101(2) >> ７                   ＝０(２)
ｂ4＝（01111101(2) << １）>> ７）        ＝１(２)
ｂ5＝10000001(2) >> ７                   ＝１(２)
ｂ6＝（10000001(2) << １）>> ７）        ＝０(２)
ｂ7＝10000000(2) >> ７                   ＝１(２)
ｂ8＝（10000000(2) << １）>> ７）        ＝０(２)
ｂ9＝01000001(2) >> ７                   ＝０(２)
ｂ10＝（01000001(2) << １）>> ７）       ＝１(２)
ｂ11＝01000010(2) >> ７                  ＝０(２)
ｂ12＝（01000010(2) << １）>> ７）       ＝１(２)
ｂ13＝01001001(2) >> ７                  ＝０(２)
ｂ14＝（01001001(2) << １）>> ７）       ＝１(２)
ｂ15＝01001001(2) >> ７                  ＝０(２)
ｂ16＝（01001001(2) << １）>> ７）       ＝１(２)
ｂ17＝11001001(2) >> ７                  ＝１(２)
ｂ18＝（11001001(2) << １）>> ７）       ＝１(２)
となり、付加情報を取出すことができる。【００２９】
このようにして試薬ＩＤ情報４１を記憶することで、試薬ＩＤとして読取可能もしくは付加情報を設けて読取不可とすることができる。また、合成情報から試薬ＩＤおよび付加情報に戻すことができる。【００３０】
別の方法として、試薬ＩＤ情報４１は、試薬情報記憶媒体３３にＮ個の４バイト長整数によるビット配列として記憶されているものとする。４バイト長整数は３２ビット、すなわち２の３２乗である4,294,967,296個の数値を記憶できる。【００３１】
試薬ＩＤが読取可能とは、試薬情報記憶媒体３３に、これらの４バイト長整数が試薬ＩＤを構成する情報の数値範囲内であることを意味する。【００３２】
試薬ＩＤを構成する情報の数値範囲定義が例えば１から999,999であった場合、これは３バイト長整数で十分表すことができるので、上位１バイトを付加情報の一部として定義することができる。試薬ＩＤはＮ個の４バイト長整数なので、Ｎ個の１バイトすなわち２５６のＮ乗の情報を定義できる。この場合、例えば２という数値を付加情報とすると、１６進数では０２(１６)と表されるので、999,999(１０)の数値と合成すると、020F423F(１６)となる。これは34,554,431(１０)となり、試薬ＩＤの範囲外情報となるため、試薬ＩＤとしては読取不可となる。【００３３】
以上のように、試薬ＩＤ情報に付加情報を合成し、合成情報が試薬ＩＤの情報範囲外の値となることで、読取不可とすることができることを示した。また、合成情報から、試薬ＩＤ情報および付加情報を取出すことができることを示した。要は、試薬ＩＤの範囲外となるように合成情報を作成し、かつ、合成情報から試薬ＩＤ情報と付加情報を取出すことができれば良く、付加情報の持ち方や計算式は任意に定義できる。合成情報は、自動分析装置で読取ることができる必要はなく、試薬容器２６を回収した後に、解析ツールを用いて使用不可となった要因の解析ができれば良い。【００３４】
また、試薬ＩＤ情報や付加情報を解析する必要がなければ、単に試薬ＩＤを構成する全ビット情報を、例えばゼロで上書きすることでＡＳＣＩＩコード範囲外とさせ、読取不可とすることもできる。この場合、試薬容器２６を回収した後、使用不可となった要因の解析はできないが、ソフトウェアの構成が簡易であるという長所がある。あるいは、試薬ＩＤを構成する情報だけでなく情報記憶媒体に含まれる全ての情報を、例えばゼロで上書きすることで、読取不可とすることもできる。【００３５】
さらに、試薬ＩＤを構成する情報以外であっても、例えば試薬容器の物理的情報である試薬充填量やボトル形状など、試薬分注を制御する上で利用する情報を情報上書きの対象としても良い。試薬分注を制御するための情報がソフトウェアで解釈できなければ、該当試薬からの分注は不可能となるからである。この場合、試薬ＩＤ情報を上書きする必要はないため、分析装置が試薬を認識でき、かつ該当試薬の再利用を防止することができる長所がある。ただし、試薬分注を制御できない場合にどのような振る舞いをするかは分析装置依存となる。【００３６】
また、図には示していないが、本手法は試薬ＩＤ情報に限らず、例えば残量が既知のキャリブレータやコントロール試料を分注した検体容器と検体容器に付加された検体ＩＤ情報や、装置内流路を洗浄するための洗剤容器と洗剤容器に付加された洗剤ＩＤ情報など、液体を特定可能であり、かつ、残液量や有効期限などの液体寿命を管理できる液体であれば、その全ての液体ＩＤ情報に関して利用可能である。【００３７】
自動分析装置は、分析を開始する前に、試薬情報リーダライタ２８の読取り可能位置まで試薬容器２６を設置した第１試薬移動機構３１と第２試薬移動機構３２をそれぞれ移動し、各試薬容器２６の試薬ＩＤ情報４１を読取る。読取られた試薬ＩＤ情報４１は、インターフェイス７を介してマイクロコンピュータ１に転送され、図４のアルゴリズムに従い、試薬ＩＤ情報４１と、それ以外の情報とに分離する。試薬ＩＤ情報４１が読取不可の場合、何もせず終了することとなり、自動分析装置は、試薬として認識することはない。【００３８】
また、試薬情報リーダライタ２８が読取り可能であっても、試薬ＩＤ情報が試薬ＩＤの定義範囲外の情報であった場合には、自動分析装置は試薬を認識できない旨のアラームや試薬ＩＤの情報が誤っている旨のアラームを出力し、試薬として認識することはない。【００３９】
試薬ＩＤ情報４１が読取り可能で、試薬ＩＤ情報定義範囲内の情報の場合、試薬情報を取得し、使用不可かどうかの条件を確認する。使用不可かどうかは、残量が０であるかどうか、有効期限が超過しているかどうか、試薬開封した日付から試薬安定期間が超過しているかどうか、などの条件を統合して判断する。なお、これらの条件には、図７に示すような条件コードを設けておく。【００４０】
使用不可と判断された場合、試薬ＩＤ情報４１と付加情報とを前述のいずれかの記憶方法にて合成する。合成情報を試薬ＩＤ情報４１として試薬情報記憶媒体３３に上書きする。【００４１】
本実施例では、試薬情報記憶媒体３３として、無線ＩＣタグを、試薬情報リーダライタ２８として、無線ＩＣタグリーダライタを用いた非接触式の情報交換手段を採用しているが、要は、情報記憶媒体に対して、その情報を消去する手段があればよい。例えば１次元バーコードを情報記憶媒体とした場合、そのラベルを黒く塗り潰したり、ラベルに傷を付けたり、ラベル自体を剥がしたりして、試薬情報を情報記憶媒体から読取りできなくする手段を設ければよい。【００４２】
また、使用不可と判断し、試薬ＩＤを消去するタイミングは、分析を開始する前に限定する必要はない。例えば、日付が変わった際などの定期的なタイミングに加え、分析中に試薬を使用した後のタイミングや、分析を終了する際のタイミングであってもよい。
【符号の説明】
【００４３】
１  マイクロコンピュータ
２  メモリエリア
３  ハードディスクドライブ
５  キーボード
６  ＣＲＴ（表示装置）
７  インターフェイス
１１  測光器
１９  反応容器移動機構
２０  反応容器
２１  検体容器
２２  検体移動機構
２３  検体情報リーダライタ
２４  検体分注器
２５  試薬分注器
２６  試薬容器
２８  試薬情報リーダライタ
２９  液面検知器
３０  検体容器高さ検知器
３１  第１試薬移動機構（内周側）
３２  第２試薬移動機構（外周側）
３３  試薬情報記憶媒体
４１  試薬ＩＤ情報
４２  試薬属性情報
【図１】
0005380533.tif 000002
【図２】
0005380533.tif 000003
【図３】
0005380533.tif 000004
【図４】
0005380533.tif 000005
【図５】
0005380533.tif 000006
【図６】
0005380533.tif 000007
【図７】
0005380533.tif 000008
【図８】
0005380533.tif 000009
【図９】
0005380533.tif 000010
【図１０】
0005380533.tif 000011
【図１１】
0005380533.tif 000012